(57)【要約】【課題】とりわけ物心が付き始めた未就学の幼児や小学校低学年の児童に対して、椅子に対する正しい着座姿勢を教育することができる足載せマットを提供することを課題とする。【解決手段】平板状のシート２の一面に足を載置する閉曲線Ｃで区切られた載置部３を備える足載せマット１、そして、載置部３が使用者の足の大きさよりも大きく二つ並列している前記足載せマット１、さらに、載置部３から放射状に延びる線部４を備える前記足載せマット１、また、載置部３が凹状に形成されている前記足載せマット１により解決することができた。【選択図】図１
2015176122.tif 000002
【特許請求の範囲】
【請求項１】
平板状のシートの一面に足を載置する閉曲線で区切られた載置部を備えることを特徴とする足載せマット。
【請求項２】
前記載置部が使用者の足の大きさよりも大きく二つ並列していることを特徴とする請求項１に記載の足載せマット。
【請求項３】
前記載置部から放射線状に延びる線部を備えることを特徴とする請求項１又は請求項２に記載の足載せマット。
【請求項４】
前記載置部が凹状に形成されていることを特徴とする請求項１から請求項３のいずれかに記載の足載せマット。
【発明の詳細な説明】
【技術分野】
【０００１】
本発明は、幼児や児童が学習中に正しい姿勢で着座するために使用される姿勢矯正具に関する。
【背景技術】
【０００２】
近年、小学校の児童や中学校の生徒において、学校や家庭での椅子に対する着座姿勢が良くないことが言われている。例えば、椅子の座部で胡坐をかいたり、胡坐を崩したように片足だけ椅子の座部に乗せたりする姿勢が散見される。正しくない姿勢で椅子に着座することは、その見た目が悪いだけでなく、勉学への集中力も阻害され易いので学習効果という観点からも好ましくない。従前に比べて近年の指導者が厳しい指導を行わなくなったことも影響しているところ、頭ごなしに叱る指導方法も否定されるようになってきている昨今、時代に応じた対応が望まれている。
【０００３】
また、児童や生徒の年齢が高くなるにつれて、そのような姿勢についての指導も効果が薄くなるため、物心が付き始める未就学児や小学校低学年のうちに正しい姿勢を効果的に指導することが求められている。
【０００４】
例えば、特許文献１には、使用者の足を載置する足場１６２を含むフットレスト１６０が備え付けられた姿勢矯正用椅子が開示されている。
【先行技術文献】
【特許文献】
【０００５】
【特許文献１】特表２０１１−５２７９２７号公報
【発明の概要】
【発明が解決しようとする課題】
【０００６】
しかしながら、指導者らによる椅子の着座姿勢の指導は、専ら口頭での注意喚起程度であり、より効果を上げるため何かしら器具等を用いられる指導は行われていない。また、椅子の着座姿勢を矯正させるために足元に何か器具等を載置する指導方法については、先行特許等文献においておおよそ見られない。そして、特許文献１には足場を含むフットレストが開示されているが、未就学の幼児や小学校低学年の児童に対して、フットレストのどの部分に足を載置すればよいか説明するには不十分であった。
【０００７】
そこで、本発明は、とりわけ物心が付き始めた未就学の幼児や小学校低学年の児童に対して、椅子に対する正しい着座姿勢を教育することができる足載せマットを提供することを課題とする。
【課題を解決するための手段】
【０００８】
〔１〕すなわち、本発明は、平板状のシートの一面に足を載置する閉曲線で区切られた載置部を備えることを特徴とする足載せマットである。
【０００９】
〔２〕そして、前記載置部が使用者の足の大きさよりも大きく二つ並列していることを特徴とする前記〔１〕に記載の足載せマットである。
【００１０】
〔３〕そして、前記載置部から放射線状に延びる線部を備えることを特徴とする前記〔１〕又は前記〔２〕に記載の足載せマットである。
【００１１】
〔４〕そして、前記載置部が凹状に形成されていることを特徴とする前記〔１〕から前記〔３〕のいずれかに記載の足載せマットである。
【発明の効果】
【００１２】
本発明の足載せマットによれば、とりわけ物心が付き始めた未就学の幼児や小学校低学年の児童に対して、椅子に対する正しい着座姿勢を教育することができる。
【図面の簡単な説明】
【００１３】
【図１】本発明の第１実施形態を示す足載せマットの斜視図である。
【図２】本発明の第２実施形態を示す足載せマットの斜視図である。
【図３】本発明の第２実施形態を示す足載せマットのＡ−Ａ線断面図である。
【発明を実施するための形態】
【００１４】
以下、本発明に係る足載せマットに関する実施形態について詳しく説明する。
【００１５】
〔第１実施形態〕
図１に示すように、本発明における第１実施形態の足載せマット１は、少なくとも平板状のシート２と、そのシート２の少なくとも一面に設けられ、幼児や児童が足を載置する閉曲線Ｃで区切られた載置部３を備える。
【００１６】
足載せマット１は、使用する机の下方の床に置いて使用され、持ち運びできるものである。そのため、足載せマット１は、机の外形よりも一回り小さい程度の大きさであることが好ましい。足載せマット１は、本実施形態において、外形が矩形状であるが、他の実施形態において、他の多角形状、略円形状、略楕円形状などの形状とすることができる。
【００１７】
シート２は、足載せマット１の外形を形成する基本的部材であり、平板状の形状を有している。幼児や児童が足を載置するものであるので、シート２は、彼らの足裏の面積以上の面積を有している必要はあるが、その面積において特に特定されるものではない。
【００１８】
また、シート２の素材としては、紙、ダンボール、不織布、ゴム、熱可塑性又は熱硬化性樹脂など好ましい。これらの素材から構成されると、使い捨てることや洗浄してのリサイクルすることが可能である。また、シート２の厚みは、０．１〜５０ｍｍであることが好ましい。シート２の厚みがこの範囲にあると、軽量であるため幼児や児童でも持ち運びやすく、また、ロール状にして収納又は運搬しやすい。
【００１９】
載置部３は、シート２の一面に閉曲線Ｃとしてシート２に示されている線により区切られているシート２の一部である。そして、本実施形態において、その閉曲線Ｃは、幼児や生徒の足型よりも一回り大きい足型の形状が二つ並列して示されている。このような形状とすることで、幼児や児童にも足を載置する箇所であることが明確となる。なお、載置部３は、本実施形態において、片方の足の型を模した閉曲線Ｃを並列して示されているが、他の実施形態において、矩形状又は略楕円形状である閉曲線を並列して示されるようにしてもよく、さらに他の実施形態において、本実施形態の閉曲線Ｃよりも大きく、左右両方の足を載置できる一つの閉曲線で構成することもできる。
【００２０】
載置部３の境界を示す閉曲線Ｃは、載置部３とそれ以外の部分を区別しやすいように、椅子に着座しても視認できる太い線でシート２に印刷等などにより示されることが好ましい。
【００２１】
さらに、本実施形態において、載置部３からその周囲に向かって放射状に複数の線部４が示されている。幼児や児童が足載せマット１を見たときに、線部４の視覚的効果により足の載置場所を誘導させることができる。なお、線部４は、本実施形態において直線形状で表されているが、他の実施形態において曲線形状、又は直線形状と曲線形状を組み合わせた形状で表すことができる。
【００２２】
そして、本実施形態において、載置部３に「じめんパワー」と幼児や児童の注意を惹き付ける文字が記載されている。「じめんパワー」と記載されていることにより、例えば、指導者が「じめんパワー、来ているかな？」などと幼児や児童に問いかけることで、幼児や児童は強制的に姿勢の矯正をさせられている意識を持つことがなく遊び感覚で正しい姿勢をとることができる。また、指導者が「床にちゃんと足をつけなさい」、「足をブラブラさせてはいけません」と強制的、否定的な注意をする必要がなくなるので、幼児や児童に嫌な気分を生じさせず、スムーズに授業を進行することができる。なお、本実施形態において、「じめんパワー」との文字列が記載されているが、他の実施形態において、「あしうらパワー」、「アースパワー」など幼児や児童に足を載置部３に載置することで地面から足にエネルギーが供給されるなどの良い効果があるように想起させうる文字を記載することができる。ここで、その文字により実際にエネルギーが供給されるなどの効果が得られなくとも、少なくともそのような効果が得られるかのごとく認識することができる程度でよい。
【００２３】
〔第２実施形態〕
図２、図３に示すように、本発明における第２実施形態の足載せマット１は、基本的な構成態様について第１実施形態と同じである。少なくとも平板状のシート２と、そのシート２の少なくとも一面に設けられ、幼児や児童が足を載置する閉曲線Ｃで区切られた載置部３を備える。
【００２４】
本実施形態においては、載置部３がシート２に窪んだ状態で形成されており、載置部３の境界となる段差が足載せマット１を見たときに閉曲線Ｃと視認される。また、第１実施形態と同様に、載置部３が幼児や生徒の足型よりも一回り大きい足型の形状が二つ並列して示されている。このように、載置部３を凹状に形成することにより、足を載置する度に目で載置部３を確認しなくても足の感覚でどこが載置部３であるかが確認することができる。なお、載置部３は、本実施形態において、他のシートの一面より一段低く凹状に形成されているが、他の実施形態として、一の平坦なシート２に載置部３を区切る閉曲線を凸状に隆起させて相対的に載置部３が凹状に形成されるようにすることができる。
【００２５】
そして、本実施形態において、第１実施形態と同様に、載置部３からその周囲に向かって放射状に複数の線部４が示されている。
【符号の説明】
【００２６】
１・・・足載せマット
２・・・シート
３・・・載置部
４・・・線部
Ｃ・・・閉曲線
【図１】
2015176122.tif 000003
【図２】
2015176122.tif 000004
【図３】
2015176122.tif 000005